(57)【要約】【課題】  嗅覚以外の情報から利用者が好みの香りを解りやすく検索することができる香り検索システム、香りサンプル注文システム、及び香りコーディネートシステムを提供する。【解決手段】  香り検索システムとして、香りの名称を示す名称情報、うるう年を含めた３６６日のうち上記香りに割当てた１日を示す日付情報、及び、上記香り若しくは上記１日に関連する関連情報で構成する香り情報を格納したデータベースと、前記名称情報、日付情報、及び関連情報のすくなくとも１つの条件指定を許容する条件指定手段と、指定された条件に該当する香り情報を前記データベースから検索する検索手段と、検索結果を出力する出力手段とを備えた。【選択図】    図１
2005242657.tif 000002
【特許請求の範囲】
【請求項１】
香りの名称を示す名称情報、うるう年を含めた３６６日のうち上記香りに割当てた１日を示す日付情報、及び、上記香り若しくは上記１日に関連する関連情報で構成する香り情報を格納したデータベースと、
前記名称情報、日付情報、及び関連情報のすくなくとも１つの条件指定を許容する条件指定手段と、
指定された条件に該当する香り情報を前記データベースから検索する検索手段と、
検索結果を出力する出力手段とを備えた
香り検索システム。
【請求項２】
前記香り情報に、
香りの分類を示す分類情報、
香りのイメージを示すイメージ情報、
又は、香りに割当てた色を示す色情報、
若しくはこれらの複数を設定した
請求項１記載の香り検索システム。
【請求項３】
請求項１又は２記載の香り検索システムに、
前記検索結果からサンプルとして希望する香りの指定を許容する香り指定手段と、
サンプルの送付先の指定を許容する送付先指定手段とを備えた
香りサンプル注文システム。
【請求項４】
請求項１又は２記載の香り検索システムに、
香りの指定を許容する香り指定手段と、
上記香りを付する物品の指定を許容する物品指定手段と、
指定された香りと指定された物品とを関連付ける関連情報を出力する出力手段とを備えた
香りコーディネートシステム。
【発明の詳細な説明】
【技術分野】
【０００１】
この発明は、例えば一般需要者には判断が難しい香りの選択を容易にするような香り検索システム、香りサンプル注文システム、及び香りコーディネートシステムに関する。
【背景技術】
【０００２】
従来、コンピュータネットワークを介して購入希望者に香りのサンプルを提供し、実際に香りを感得せしめた上で、香料の注文を受ける香料受付システムが提案されいる（特許文献１参照）。
【０００３】
該香料受付システムは、プロット入力用座標平面にプロット入力を受け、プロットの座標データと調香レシピに基づいて購入希望者単発に備えられている調香・放香装置で調香し拡散せしめるものである。
【０００４】
【特許文献１】特開２００３−６４８５号公報
【発明の開示】
【発明が解決しようとする課題】
【０００５】
しかし、プロット入力用座標平面へのプロット入力では、一般の利用者はどのように入力すれば希望する香りが得られるかわからず、試行錯誤が必要となっていた。
【０００６】
また、一般的な利用者はそれほど香りの違いを識別する能力に優れているわけではなく、しかも一定時間以上同じ香りを嗅いでいると、嗅覚が麻痺してその香りをあまり感じなくなるものである。
【０００７】
従って、最終的に取得する香りを決める要素が香り自体を嗅覚でどのように感じるかしかないと、利用者は判断に迷って決定しかねるものであった。
【０００８】
この発明は、上述した問題に鑑み、嗅覚以外の情報から利用者が好みの香りを解りやすく検索することができる香り検索システム、香りサンプル注文システム、及び香りコーディネートシステムを提供することを目的とする。
【課題を解決するための手段】
【０００９】
この発明は、香りの名称を示す名称情報、うるう年を含めた３６６日のうち上記香りに割当てた１日を示す日付情報、及び、上記香り若しくは上記１日に関連する関連情報で構成する香り情報を格納したデータベースと、前記名称情報、日付情報、及び関連情報のすくなくとも１つの条件指定を許容する条件指定手段と、指定された条件に該当する香り情報を前記データベースから検索する検索手段と、検索結果を出力する出力手段とを備えた香り検索システムであることを特徴とする。
【００１０】
前記条件指定の名称情報による指定は、香りの名称の一覧からの選択、又は、香りの名称に含まれる文字列の入力（前方一致又は後方一致等の部分一致、又は全文一致）等、名称情報で絞り込める指定で構成することを含む。
【００１１】
前記条件指定の日付情報による指定は、日、月、又は月日の個別指定、又は月日の範囲指定等、日付で絞り込める指定で構成することを含む。
【００１２】
前記条件指定の関連情報による指定は、関連情報に割当てた区分の選択、又は、関連情報に含まれる文字列の入力（前方一致又は後方一致等の部分一致、又は全文一致）等、関連情報で絞り込める指定で構成することを含む。
【００１３】
前記関連情報は、日付又は／及び香りに関する歴史的な由来、日付又は／及び香りに関する色の由来、日付又は／及び香りに関する色イメージ（暖色、寒色、中性色、新出色、後退色、興奮色、沈静色等）の由来、日付又は／及び香りに関する花の由来や花言葉、日付又は／及び香りに関する占いといった、香り若しくは日付の由来を示す由来情報等、日付と香りとを結びつける関連のある情報で構成することを含む。
【００１４】
また、関連情報による日付と香りの結び付けは、例えば香りに関連付けられる色、色に関連付けられる花、花に関連付けられる日付というように、複数の情報を介在して関連付けることを含む。この場合、色成分と香り成分により香りを色に結び付けておき、この色と日付とを結びつけることで日付と香りとを結びつけることも含む。
【００１５】
前記条件指定手段は、選択又は入力等により条件の指定を許容するキーボードやマウス等の入力手段で構成することを含む。
【００１６】
前記検索手段は、指定された条件に該当する香り情報をデータベース内で検索する処理を実行するＣＰＵ等の制御手段で構成することを含む。
【００１７】
前記検索結果は、条件に該当する全ての香り情報、前方検索や後方検索等の検索により条件に該当するとして最初にヒットした１件の香り情報、又は、前方検索や後方検索等の検索により条件に該当するとしてヒットした最初から指定個数の一部の香り情報等、検索によりヒットした香り情報の一部又は全部で構成することを含む。
【００１８】
前記出力手段は、検索結果を表示する液晶ディスプレイやＣＲＴディスプレイ等の表示手段、又は、検索結果を印刷するカラープリンタやモノクロプリンタ等の印刷手段等、検索結果を出力する手段で構成することを含む。
【００１９】
前記構成により、利用者は日付や由来等、嗅覚で感じる香り以外の情報により香りを検索することができる。このため、香りの種類を３６６種類用意する等、一般の利用者が嗅覚で区別しきれない多大種類に増やしても、利用者が好みの香りを容易に決定できることとなる。
【００２０】
これにより、香料の需要を増大することができる。また、利用者にとっては、記念日等の特別な日で香りを検索し、その日をその香りで演出するといった利用も可能となる。
【００２１】
なお香料とは、パルファム（香水）、オードパルファム、オードトワレ、オーデコロン、アロマテラピー（芳香療法）に使用するエッセンシャルオイル（精油）等の芳香物質をいう。またエッセンシャルオイルとは、天然の植物花、葉、果皮、樹皮などから蒸留や圧縮法等の方法により抽出した芳香物質をいう。
【００２２】
この発明の態様として、前記香り情報に、香りの分類を示す分類情報、香りのイメージを示すイメージ情報、又は、香りに割当てた色を示す色情報、若しくはこれらの複数を設定することができる。
【００２３】
前記分類情報は、フローラル、フルーティー、シトラス、ハーブ、スウィート、リーフ、ウッディ、アルデハイデイック、パウダリィ等、香りの分類を示す情報で構成することを含む。
【００２４】
前記イメージ情報は、豪華、ロマンティック、セクシー、ファンタジー、尊大、陽気、かわいらしさ、芸術家、思いやり、情熱、リフレッシュ、想像力、革命的、誠実、知性、遠慮等、香りのイメージを示す情報で構成することを含む。
【００２５】
前記色情報は、白、ピンク、赤、橙、黄、緑、青、藍、紫、黒、茶、灰等、香りのイメージ色で構成することを含む。
【００２６】
前記構成により、利用者が好みの香りを検索する指標を増加させ、利用したい香りの決定をより容易にすることができる。
【００２７】
またこの発明は、前記香り検索システムに、前記検索結果からサンプルとして希望する香りの指定を許容する香り指定手段と、サンプルの送付先の指定を許容する送付先指定手段とを備えた香りサンプル注文システムとすることができる。
【００２８】
前記サンプルは、液体等による香料そのもののサンプル、又は、噴霧等により香料を付した紙といった媒体等、サンプルとして香りを嗅覚で感じることが可能なもので構成することができる。
【００２９】
前記香り指定手段は、検索結果として出力した香りからサンプル送付を希望する香りを指定させるキーボードやマウス等の入力手段で構成することを含む。
【００３０】
前記送付先指定手段は、住所及び氏名等、サンプルの送付先を特定できる情報を入力許容するキーボードやマウス等の入力手段で構成することを含む。なお、送付先を特定できる情報としては、送付先の住所及び氏名、又は、会員登録した会員の会員番号等を設定することを含む。
【００３１】
前記構成により、利用者が希望する香りのサンプル送付依頼を受け付けることが可能となり、例えばインターネットで香りを検索してサンプル送付を依頼し、自宅でサンプルを受け取って実際の香りを確認することが可能となる。
【００３２】
またこの発明は、前記香り検索システムに、香りの指定を許容する香り指定手段と、上記香りを付する物品の指定を許容する物品指定手段と、指定された香りと指定された物品とを関連付ける関連情報を出力する出力手段とを備えた香りコーディネートシステムとすることができる。
【００３３】
前記香り指定手段は、検索結果として出力した香りから使用を希望する香りを指定させるキーボードやマウス等の入力手段で構成することを含む。
【００３４】
前記物品は、結婚披露宴等の催し物の招待状、又は、ウェルカムボード等の会場使用物品等、香りを付して演出可能な物品で構成することを含む。
【００３５】
前記物品指定手段は、選択又は入力等の指定により前記物品を指定するマウスやキーボード等の入力手段で構成することを含む。
【００３６】
前記関連情報は、香りを特定可能な香りＩＤ、物品を特定可能な物品ＩＤ、又は注文を特定可能な注文ＩＤ等、香りと物品とをリンク可能な情報で構成することを含む。
【００３７】
前記構成により、注文された物品に注文された香りを間違いなく付することが可能となる。
【発明の効果】
【００３８】
この発明により、嗅覚以外の情報から利用者が好みの香りを解りやすく検索することができる香り検索システム、香りサンプル注文システム、及び香りコーディネートシステムを提供することができる。
【発明を実施するための最良の形態】
【００３９】
この発明の一実施形態を以下図面と共に説明する。  
まず、図１に示すシステム構成図と共に、香りコーディネートシステム１のシステム構成について説明する。
【００４０】
該香りコーディネートシステム１は、インターネット４にルータ３、案内状作成会社端末６０、ウェルカムボード作成会社端末７０、及び利用者端末８０を接続して構成している。
【００４１】
前記ルータ３はファイヤウォール機能を有し、ＤＭＺ（非武装地帯）にＷＥＢサーバ５０を接続し、ＬＡＮ側のＬＡＮ２に接続してＤＢ（データベース）サーバ１０、及び複数台の処理端末４０を備える。
【００４２】
前記ＤＢサーバ１０、処理端末４０、ＷＥＢサーバ５０、案内状作成会社端末６０、ウェルカムボード作成会社端末７０、及び利用者端末８０は、パーソナルコンピュータ（デスクトップ型又はノート型）で構成する。
【００４３】
該パーソナルコンピュータは、バスに接続して、ＣＰＵとＲＯＭとＲＡＭで構成する制御装置、ハードディスクで構成する記憶装置、ＬＡＮボードで構成する通信装置、液晶ディスプレイ又はＣＲＴディスプレイで構成する表示装置、キーボード及びマウスで構成する入力装置、及び、ＵＳＢポートやシリアルポートで構成する接続インタフェースを備えていることは周知のとおりである。
【００４４】
前記ＤＢサーバ１０は、ハードディスク内にデータベース１１を格納しており、ＷＥＢサーバ５０又は処理端末４０からの要求に従って、必要なデータを送信する。
【００４５】
前記処理端末４０は、前記ＤＢサーバ１０と共に、香りコーディネートを提供するコーディネート会社に設置しており、ＤＢサーバ１０にアクセスしてデータ登録や注文確認等の各種処理を実行する端末である。サンプル依頼登録確認プログラム、受注登録確認プログラム、及び電子メールプログラムをハードディスク内に格納している。
【００４６】
前記ＷＥＢサーバ５０は、インターネット４を介してアクセスする端末に対してホームページの閲覧を許容するサーバであり、ＷＥＢサーバプログラム、検索プログラム、サンプル送付依頼受付プログラム、及び注文プログラムをハードディスク内に格納している。
【００４７】
利用者端末８０からアクセスがあると、ホームページの閲覧を許容し、検索処理や注文処理等の処理を受け付け、ＤＢサーバ１０から引き出したデータを利用者端末８０に送信する。
【００４８】
前記案内状作成会社端末６０は、案内状を作成する会社に設置する端末であり、電子メールプログラムを格納している。案内状の作成注文を電子メールで受け付けるための端末である。
【００４９】
前記ウェルカムボード作成会社端末７０は、ウェルカムボードを作成する会社に設置する端末であり、電子メールプログラムをハードディスク内に格納している。ウェルカムボードの作成注文を電子メールで受け付けるための端末である。
【００５０】
前記利用者端末８０は、利用者が利用する端末であり、ブラウザプログラムと電子メールプログラムをハードディスク内に格納している。インターネット４を介してＷＥＢサーバ５０にアクセスし、ホームページを閲覧して香り検索やサンプル送付依頼、香りコーディネート注文等の処理を行う。
【００５１】
以上の構成により、香りコーディネートシステム１は、利用者による香り検索、香りのサンプル送付依頼、香りコーディネートの注文を許容し、香料の配送や案内状とウェルカムボードの注文に必要な通信を可能にしている。
【００５２】
なお、ルータ３、インターネット４、ＤＢサーバ１０、ＷＥＢサーバ５０、及び利用者端末８０で、香り検索システム、及びサンプル送付依頼受付システムを構成している。
【００５３】
次に、図２に示すデータ構造図と共に、ＤＢサーバ１０に格納したデータベース１１のデータ構造について説明する。  
データベース１１には、香りデータベース１２、サンプル依頼データベース２０、及び注文データベース３０を格納している。
【００５４】
前記香りデータベース１２には、香りデータ１３、説明文総合データ１４、系統データ１５、イメージ色データ１６、由来区分データ１７、複雑度データ１８、及びイメージ区分データ１９を格納している。
【００５５】
前記サンプル依頼データベース２０には、サンプル依頼データ２１、及び利用者データ２２を格納している。  
前記注文データベース３０には、案内状注文データ３１、及びウェルカムボード注文データ３２を格納している。
【００５６】
以上の構成により、香りの検索、サンプルの依頼、香りコーディネートの注文に必要なデータを適切に区分して格納し、アクセス速度の向上を図っている。
【００５７】
次に、図３〜図９に示すデータ説明図と共に、前述した香りデータベース１２に格納する香りデータ１３、説明文総合データ１４、系統データ１５、イメージ色データ１６、由来区分データ１７、複雑度データ１８、及びイメージ区分データ１９のデータ項目及び内容について説明する。
【００５８】
図３は、香りデータ１３のデータ構造及び内容を示し、該香りデータ１３は、香りＩＤ、香り名称、香り日付、系統ＩＤ、イメージ色ＩＤ、香り言葉、由来、由来区分ＩＤ、複雑度ＩＤ、イメージ、イメージ区分ＩＤ、及びＰＲ文の項目で構成する。
【００５９】
前記香りＩＤは、各香りに割当てたユニークナンバーである。  
前記香り名称は、香りの名称を文字列で格納する。  
前記香り日付は、香りに割当てた日付を日付型で格納する。  
前記系統ＩＤは、系統データ１５とリンクするＩＤである。  
前記イメージ色ＩＤは、イメージ色データ１６とリンクするＩＤである。
【００６０】
前記香り言葉は、例えば花でいう花言葉のように、香りに関しての由来や色等をコンパクトにまとめたものを文字列で格納する。
【００６１】
前記由来は、香りの由来を文字列で格納する。具体的には、例えば「〇月〇日の香りはレモングラスです。この日は、Ａ氏（歴史上の人物）が日本近代化の第一歩となる△△を成功させた日です。Ａ氏は快活で行動的な性格であり黄色を好んだと伝えられています。レモングラスの香りは、誠実、快活、敏感、芸術家をイメージさせるシトラス調の香りで色は黄色であり、Ａ氏が△△を成功させた日にふさわしい元気あふれる香りです。」といったように、ある日付についての香りの関連を表す情報を格納する。
【００６２】
前記由来区分ＩＤは、由来区分データ１７とリンクするＩＤである。  
前記複雑度ＩＤは、複雑度データ１８とリンクするＩＤである。  
前記イメージは、豪華、ロマンティック、セクシー、ファンタジー、尊大、陽気、かわいらしさ、芸術家、思いやり、情熱、リフレッシュ、想像力、革命的、誠実、知性、遠慮等、香りのイメージを示す１又は複数のイメージを文字列で格納する。
【００６３】
前記イメージ区分ＩＤは、前記イメージを区分けするイメージ区分データ１９とリンクするＩＤである。  
前記ＰＲ文は、その香りを好む年齢層や有名人など、香りに関わるＰＲを文字列で格納する。
【００６４】
この構成により、香りに関するデータのメインデータとして、必要なデータを直接又は間接（リンク形式）に格納している。なお、香りデータ１３には、うるう年の日数である３６６日に対応して３６６種類の異なる香りを登録している。
【００６５】
図４は、説明文総合データ１４のデータ構造及び内容を示し、該説明文総合データ１４は、項目、リンクデータ、及び説明文の各項目で構成する。
【００６６】
前記項目は、香り日付、系統、イメージ色、由来、複雑度、及びイメージを格納する。  
前記リンクデータは、説明文をリンクデータから取ってくる場合のリンク先データ名を格納する。  
前記説明文は、その項目の説明文を文字列で格納する。
【００６７】
この構成により、利用者が香りを検索する際に、検索条件として指定する項目の意味や利用方法を説明可能にしている。
【００６８】
図５は、系統データ１５のデータ構造及び内容を示し、該系統データ１５は、系統ＩＤ、系統名、及び説明文の各項目で構成する。
【００６９】
前記系統ＩＤは、各系統に割当てたユニークナンバーである。  
前記系統名は、フローラル、フルーティー、シトラス、…といった香りの系統（分類）を文字列で格納する。  
前記説明文は、各系統の説明を文字列で格納する。
【００７０】
この構成により、香りの系統を体系的に管理し、系統の追加、変更、削除を容易に行えるようにしている。
【００７１】
図６は、イメージ色データ１６のデータ構造及び内容を示し、該イメージ色データ１６は、イメージ色ＩＤ、及びイメージ色の各項目で構成する。
【００７２】
前記イメージ色ＩＤは、各イメージ色に割当てたユニークナンバーである。  
前記イメージ色は、色を文字列で格納している。
【００７３】
この構成により、イメージ色を体系的に管理し、イメージ色の追加、変更、削除を容易に行えるようにしている。
【００７４】
図７は、由来区分データ１７のデータ構造及び内容を示し、該由来区分データ１７は、由来区分ＩＤ、及び由来区分内容の各項目で構成する。
【００７５】
前記由来区分ＩＤは、各由来区分に割当てたユニークナンバーである。  
前記由来区分内容は、前述した香りデータ１３内の由来（全ての香りデータで１つずつ異なる）を所定数の区分に分類した内容を文字列で格納する。
【００７６】
この構成により、香りデータ１３内の全香りデータの由来から文字列検索を行わなくとも、由来に基づいて絞込み検索を行うことを可能にしている。
【００７７】
図８は、複雑度データ１８のデータ構造及び内容を示し、該複雑度データ１８は、複雑度ＩＤ、及び複雑度内容の各項目で構成する。
【００７８】
前記複雑度ＩＤは、各複雑度内容に割当てたユニークナンバーである。  
前記複雑度内容は、シンプル、中間、複雑といった香りの複雑度を文字列で格納する。
【００７９】
この構成により、香りの複雑度を体系的に管理し、複雑度の追加、変更、削除を容易に行えるようにしている。
【００８０】
図９は、イメージ区分データ１９のデータ構造及び内容を示し、該イメージ区分データ１９は、イメージ区分ＩＤ、及びイメージ区分内容の各項目で構成する。
【００８１】
前記イメージ区分ＩＤは、各イメージ区分内容に割当てたユニークナンバーである。  
前記イメージ区分内容は、前述した香りデータ１３内のイメージを所定数の区分に分類したイメージ区分の内容を文字列で格納する。
【００８２】
この構成により、香りデータ１３内の全香りデータのイメージから文字列検索を行わなくとも、イメージ区分に基づいて絞込み検索を行うことを可能にしている。
【００８３】
以上の構成により、香りに関するデータを体系的に格納し、利用者が好みの香りを発見しやすい検索が可能なデータ構造としている。
【００８４】
次に、図１０、図１１に示すデータ説明図と共に、前述したサンプル依頼データベース２０に格納するサンプル依頼データ２１、及び利用者データ２２のデータ項目及び内容について説明する。
【００８５】
図１０は、サンプル依頼データ２１のデータ構造及び内容を示し、該サンプル依頼データ２１は、サンプル受付番号、香りＩＤ１〜香りＩＤ５、利用者ＩＤ、及び受付日時の各項目で構成する。
【００８６】
前記サンプル受付番号は、サンプルの送付依頼を受け付けた番号を示すユニークナンバーである。
【００８７】
前記香りＩＤ１〜香りＩＤ５は、前記香りデータ１３の香りＩＤを格納し、送付依頼のあった香りを特定可能にしている。なお、香りは５つまでサンプル送付を許容するため、香りＩＤの格納場所は香りＩＤ１〜香りＩＤ５までの５つあり、５つ以下の依頼であれば香りＩＤ１から順に格納して残りはＮＵＬＬ（若しくは空文字）としておく。
【００８８】
前記利用者ＩＤは、次に説明する利用者データ２２とリンクするＩＤである。  
前記受付日時は、サンプル送付依頼を受け付けた日時を格納する。  
この構成により、サンプル依頼の情報を体系的に管理している。
【００８９】
図１１は、利用者データ２２のデータ構造及び内容を示し、該利用者データ２２は、利用者ＩＤ、氏名、フリガナ、郵便番号、住所、電話番号、ＦＡＸ番号、電子メールアドレス、パスワード、登録日時の各項目で構成する。
【００９０】
前記利用者ＩＤは、利用者に割当てたユニークナンバーである。  
前記氏名は、利用者の氏名を文字列で格納する。  
前記フリガナは、利用者の氏名のフリガナを文字列で格納する。
【００９１】
前記郵便番号は、送付先の郵便番号を数値で格納する。  
前記住所は、送付先の住所を文字列で格納する。  
前記電話番号は、利用者の電話番号を数値で格納する。
【００９２】
前記ＦＡＸ番号は、利用者のＦＡＸ番号を数値で格納する。  
前記電子メールアドレスは、利用者の電子メールアドレスを英数文字列で格納する。
【００９３】
前記パスワードは、利用者のパスワードを英数文字列で格納する。なお、該パスワードはランダムな６桁の英数文字列を自動付与するが、利用者に入力させる構成としても良い。  
前記登録日時は、利用者を登録した日時を格納する。
【００９４】
この構成により、利用者に関する情報を一元管理し、サンプル送付依頼が複数回あった場合や、サンプル送付依頼の後に注文を行う際の重複入力を不要にしている。
【００９５】
以上の構成により、サンプル依頼データベース２０を体系的に構成し、必要最小限のデータ量となるようにしている。
【００９６】
次に、図１２、図１３に示すデータ説明図と共に、前述した注文データベース３０に格納する案内状注文データ３１、及びウェルカムボード注文データ３２のデータ項目及び内容について説明する。
【００９７】
図１２は、案内状注文データ３１のデータ構造及び内容を示し、該案内状注文データ３１は、案内状受付番号、利用者ＩＤ、香りＩＤ、デザインナンバー、文面ナンバー、新郎、新婦、開催日、開催場所、及び受付時間の各項目で構成する。
【００９８】
前記案内状受付番号は、各案内状注文に割当てたユニークナンバーである。  
前記利用者ＩＤは、利用者データ２２とリンクするＩＤである。  
前記香りＩＤは、香りデータ１３とリンクするＩＤである。
【００９９】
前記デザインナンバーは、案内状のデザインに割当てた商品番号に該当するナンバーであり、数値で格納する。  
前記文面ナンバーは、文面タイプ別に割当てたナンバーであり、数値で格納する。
【０１００】
前記新郎は、入力された新郎の氏名を文字列で格納する。  
前記新婦は、入力された新婦の氏名を文字列で格納する。
【０１０１】
前記開催日は、披露宴等の開催日を格納する。  
前記開催場所は、披露宴等の開催場所を格納する。  
前記受付時間は、案内状の注文を受け付けた時間を格納する。
【０１０２】
この構成により、案内状の注文に関する情報を一元管理することができる。案内状に付ける香りとして香りＩＤを格納しているため、案内状の作成業者に対して香りの認識ができる状態で発注を行うことが可能となる。
【０１０３】
図１３は、ウェルカムボード注文データ３２のデータ構造及び内容を示し、該ウェルカムボード注文データ３２は、ウェルカムボード受付番号、利用者ＩＤ、香りＩＤ、デザインナンバー、メッセージナンバー、新郎、新婦、及び受付日時の各項目で構成する。
【０１０４】
前記ウェルカムボード受付番号は、各ウェルカムボード注文に割当てたユニークナンバーである。  
前記利用者ＩＤは、利用者データ２２とリンクするＩＤである。  
前記香りＩＤは、香りデータ１３とリンクするＩＤである。
【０１０５】
前記デザインナンバーは、ウェルカムボードのデザインに割当てた商品番号に該当するナンバーを数値で格納する。  
前記メッセージナンバーは、メッセージタイプに割当てたナンバーを数値で格納する。
【０１０６】
前記新郎は、新郎の名前を漢字、ひらがな、カタカナ、ローマ字等利用者が希望する記載方法により文字列で格納する。  
前記新婦は、新婦の名前を漢字、ひらがな、カタカナ、ローマ字等利用者が希望する記載方法により文字列で格納する。  
前記受付日時は、ウェルカムボードの注文を受け付けた日時を格納する。
【０１０７】
この構成により、ウェルカムボードの注文に関する情報を一元管理することができる。ウェルカムボードに付ける香りとして香りＩＤを格納しているため、ウェルカムボードの作成業者に対して香りの認識ができる状態で発注を行うことが可能となる。
【０１０８】
以上の各データ構成により、全体としてのデータ容量を削減し、リンクを活用してアクセス速度や検索を向上している。なお、各データの項目は、これ以外の他の項目を追加しても良く、核項目の内容についても、さらに多くの内容を追加しても良い。
【０１０９】
次に、図１４、図１６、図２２に示す処理フロー図と共に、利用者が香りを検索する検索処理を実行してサンプル送付を依頼するサンプル送付依頼処理、及び香りコーディネートの注文を行う注文処理について説明する。
【０１１０】
なお、これらの処理は、ＷＥＢサーバ５０が各プログラムに基づいて実行するものであり、利用者端末８０のブラウザから受けたデータに従って、ＤＢサーバ１０にアクセスして必要なデータを取得し、利用者端末８０にデータを送信する形で実行する。
【０１１１】
利用者が利用者端末８０でブラウザプログラムを起動し、所定のＵＲＬ（Uniform Resource Locator）を入力してＷＥＢサーバ５０にアクセスすると（ステップｋ１）、ＷＥＢサーバ５０は利用者端末８０にデータを送信して図１５の画面イメージ図に示すトップページ８１を表示させる（ステップｋ２）。
【０１１２】
該トップページ８１で、利用者によって検索ボタン８１ａがクリック（押下）されると（ステップｋ３）、後述する検索処理及びサンプル送付依頼処理を実行する（ステップｋ４）。
【０１１３】
注文ボタン８１ｂがクリックされた場合は（ステップｋ５）、後述する注文処理を実行する（ステップｋ６）。
【０１１４】
以上の動作により、利用者は香りの検索、香りのサンプルの送付依頼、及び香りコーディネートの注文を行うことができる。
【０１１５】
次に、前記検索処理及びサンプル送付依頼処理について、図１６に示す処理フロー図と共に説明する。
【０１１６】
ＷＥＢサーバ５０は、サンプル送付依頼処理の一部である検索処理を開始し、利用者端末８０のブラウザ画面に、図１７の画面イメージ図に示す検索メニュー画面８２を表示して検索条件の入力を許容する（ステップｎ１）。
【０１１７】
ここで、検索メニュー画面８２には、香りの日付の指定又は範囲指定を許容する日付入力部８２ａ、香りの系統の選択を許容する系統入力部８２ｂ、イメージ色の選択を許容数イメージ色入力部８２ｃ、由来区分の選択を許容する依頼区分入力部８２ｄ、複雑度の選択を許容する複雑度選択部８２ｅ、イメージ区分の選択を許容するイメージ区分入力部８２ｆ、及び各入力部の説明を行う複数の説明ボタン８２ｇ、及び検索を実行する検索ボタン８２ｈを備えている。
【０１１８】
これらの各入力部の最左に備えたチェックボックスは、チェックを行うことで該当する入力部の項目を有効にする。
【０１１９】
また、各入力部の説明ボタン８２ｇがクリックされると、クリックされた説明ボタン８２ｇに該当する入力部の説明文を記載した別ウィンドウが開き、説明文を表示する。
【０１２０】
この説明文には、説明文総合データ１４（図４）の説明文を表示する。該説明文が空である系統については、系統データ１５の説明文からチェックの入っている系統の説明文を抽出して表示する。
【０１２１】
このようにして検索条件が入力され、検索ボタン８２ｈ（図１７）がクリックされると、ＷＥＢサーバ５０はＤＢサーバ１０のデータベース１１にアクセスして入力された検索条件を送信し、該検索条件と一致する香りをＤＢサーバ１０が検索してＷＥＢサーバ５０に送信する（ステップｎ２）。
【０１２２】
ＷＥＢサーバ５０は、検索結果のデータを利用者端末８０に送信し、利用者端末８０の画面上に図１８に示す香り検索結果一覧画面８３を表示させる（ステップｎ３）。
【０１２３】
この香り検索結果一覧画面８３に備えたリストボックス８３ａ内に、検索条件と一致した香りの日付、名称、系統、及び色を一覧表示し、香りデータ１３に格納されている香りの情報の要部を表示している。
【０１２４】
香りが多い場合には、スクロールバー８３ｂでスクロール表示可能にしている。なお、画面上の戻るボタン８３ｆがクリックされた場合は、前記ステップｎ１に戻り、検索条件を変更した再検索を可能としている。
【０１２５】
各香りには、詳細ボタン８３ｃ、及び希望ボタン８３ｄを備えて表示しており、詳細ボタン８３ｃがクリックされると（ステップｎ４）、図１９に示す香り詳細表示画面８４を小型の別ウィンドウで表示する（ステップｎ５）。
【０１２６】
該香り詳細表示画面８４では、香りデータ１３に格納されているデータと、これにリンクされているデータにより、香り名称、香り日付、系統、イメージ色、香り言葉、由来、イメージ、及びＰＲ文を表示する。香り詳細表示画面８４を表示する小型ウィンドウは、ＯＫボタン８４ａがクリックされると閉じる。
【０１２７】
前記香り検索結果一覧画面８３（図１７）で希望ボタン８３ｄがクリックされると（ステップｎ６）、ＷＥＢサーバ５０はカート内に該当する香りの香りＩＤを格納する（ステップｎ７）。
【０１２８】
ここでカートとは、インターネットショッピングで利用される買い物カートと同様のものであり、利用者がサンプル注文を行う香りとして選択した香りの香りＩＤをメモリに一次記憶しておくものである。
【０１２９】
また、このカートへ格納する香りＩＤは、重複格納しないように構成し、希望ボタン８３ｄのクリックで同一の香りが複数回選択された場合でも、カート内にはその香りＩＤは一つだけ格納するように構成する。
【０１３０】
この重複排除の方法としては、希望ボタン８３ｄがクリックされた際に、選択された香りの香りＩＤとカート内の全ての香りＩＤとを比較し、同一の香りＩＤがなかった場合に追加登録すればよい。同一の香りＩＤが存在した場合は、追加登録を行わず、エラー表示についてはしてもしなくても良い。  
これにより、サンプルとして同じ香りを複数送付依頼することを防止している。
【０１３１】
前記香り検索結果一覧画面８３（図１７）でサンプル注文確認ボタン８３ｅがクリックされるまで、前記ステップｎ１〜ｎ７の処理を継続し（ステップｎ８）、サンプル注文確認ボタン８３ｅがクリックされると、利用者端末８０に図２０に示すサンプル希望香り一覧画面８５を表示する（ステップｎ９）。
【０１３２】
該サンプル希望香り一覧画面８５は、画面左側にサンプル送付依頼の流れを表示し、画面右側にリストボックス８５ａを表示して、該リストボックス８５ａ内に前記ステップｎ７でカート内に追加された香りの一覧表示を行なう。
【０１３３】
リストボックス８５ａ内には、香り日付と名称を表示して香りデータ１３の最小限情報を確認可能にし、香り毎に削除ボタン８５ｂを表示している。該削除ボタン８５ｂがクリックされた場合には、一覧からその香りを削除し、サンプル送付依頼する香りから除外する。これにより、サンプル送付可能な設定個数である５つ以上の香りが一覧表示されている場合に、５つの香りに絞り込むことを可能としている。
【０１３４】
なお、サンプル希望香り一覧画面８５の戻るボタン８５ｄは、クリックされると前記ステップｎ３に戻って香り検索結果一覧画面８３を表示する。
【０１３５】
発送先入力ボタン８５ｃがクリックされると、利用者端末８０に図２１に示すサンプル送付先入力画面８６を表示し、サンプルの発送先を入力させる（ステップｎ１０）。
【０１３６】
該サンプル送付先入力画面８６は、画面左側にサンプル送付依頼の流れと現在の段階を表示し、画面の右側に入力項目としてテキストボックス８６ｂを表示する。
【０１３７】
パスワード入力ボタン８６ａがクリックされると、すでに登録したことのある利用者がＩＤとパスワードを入力する別ウィンドウを開き、該別ウィンドウで入力されたＩＤとパスワードが利用者データ２２の利用者ＩＤ及びパスワードと一致すればテキストボックス８６ｂに登録済みのデータを表示する。
【０１３８】
未登録の利用者は、氏名、ふりがな、郵便番号、住所、電話番号、ＦＡＸ番号、及び電子メールアドレスを入力する各テキストボックス８６ｂに入力する。
【０１３９】
このようにして送付先が入力され、最終確認ボタン８６ｃがクリックされると、送付する香りの香り名称、及び送付先を記載した最終確認画面（図示省略）を表示し、該最終確認画面で注文ボタンがクリックされると受付処理を実行する（ステップｎ１１）。
【０１４０】
該受付処理では、サンプル依頼データ２１（図１０）に新規レコードを作成し、サンプル受付番号を割当て、選択された５つ以内の香りＩＤと利用者ＩＤとを格納する。
【０１４１】
利用者が未登録であった場合には、ユニークナンバーで構成する利用者ＩＤを自動作成してサンプル依頼データ２１に登録し、この利用者ＩＤと前記テキストボックス８６ｂ（図２１）に入力されたデータを、利用者データ２２（図１１）に登録する。このとき、パスワードには６桁の英数字で構成する乱数を格納する。
【０１４２】
また、このように利用者を新規登録した場合には、前記テキストボックス８６ｂ（図２１）に入力された電子メールアドレスへ電子メールを送信し、生成した利用者ＩＤとパスワードを通知する。
【０１４３】
以上の動作により、利用者は嗅覚で感じる感覚以外の情報に基づいて香りを検索することができる。特に日付で検索することができるため、結婚式の予定日やプロポーズ等の記念日、その他ゆかりのある日に基づいて香りを決定することができる。
【０１４４】
また、３６６種類もの膨大な香りから、上述のように容易に検索して絞り込んだ香りについて、サンプルの送付を依頼できるため、絞り込んだ所定数（この実施形態では５つ以下）の香りを実際に匂ぎ、最終決定をする、あるいは購入の是非を検討することができる。
【０１４５】
また、単に自分の誕生日など関連のある日の香りを検索して知ることもでき、興味があればサンプルの送付依頼を行うといったこともできる。これにより、利用者は日付で香りを探すという従来にないアプローチで香りを楽しむことができ、香水やオーデコロン等の香料を扱う業者にとっては、新しい感覚での香料の利用によって利用の促進を図り、需要増加を図ることができる。
【０１４６】
なお、香り言葉に格納される文字列は、系統、イメージ色、由来等の文字列から抜粋したものであるため、検索メニュー画面８２の検索項目に香り言葉を入れていないが、香り言葉を検索項目に追加した構成としても良い。この香り言葉による検索は、入力された文字列を検索する文字列検索とすると良い。  
これにより、利用者は香り言葉で検索することが可能となる。
【０１４７】
また、上記サンプルの送付は有償サービスとし、サンプルの発送時に請求書を同封する、代金引換で送付する、ＳＥＴ（Secure Electronic Transactions）やＳＳＬ（Secure Socket Layer）等の技術を利用してインターネットで安全なクレジット決済を行うといった方法で代金を回収する。
【０１４８】
これにより、最終的な購入意図のある利用者をサンプル送付の対象として安易なサンプル送付依頼を防止できると共に、利用者は本購入の前に安価にサンプルを取得し、実際の香りを知ることができる。
【０１４９】
また、このサンプル送付は、無料で行う構成としても良い。また、店頭にて検索処理部分のプログラムのみをスタンドアロンで実行可能に構成し、利用者又は店員が店頭で香りを検索し、その場でサンプルにより実際の香りを知って発注につなげるといった構成でも良い。
【０１５０】
次に、図２２に示す処理フロー図と共に、香りコーディネートの注文処理（前述したステップｋ６）について説明する。該注文処理は、前述の検索処理やサンプル送付依頼処理にて決定した香りについて、案内状やウェルカムボードといったアイテムを利用して結婚披露宴を演出するため、香りを指定したアイテム注文を行う処理である。
【０１５１】
該注文処理では、まず図２３に示す香りコーディネート注文入力画面５７を利用者端末８０に表示させ、案内状、ウェルカムボードの注文情報と、これらに付加する香りを入力させる（ステップｐ１）。
【０１５２】
案内状の情報としては、デザイン及び文面をコンボボックス８７ｂで選択させ、新郎氏名、新婦氏名、開催日、及び開催場所をテキストボックス８７ｃに入力させる。
【０１５３】
ウェルカムボードの情報としては、デザイン及びメッセージをコンボボックス８７ｅで選択させ、新郎名前及び新婦名前をテキストボックス８７ｆに入力させる。
【０１５４】
香りの情報としては、香り日付及び香り名称を表示するコンボボックス８７ｇで選択させる。
【０１５５】
なお、案内状検索ボタン８７ａがクリックされると、別ウィンドウを開いて案内状のデザインタイプや文面タイプを一覧表示する。
【０１５６】
また、ウェルカムボード検索ボタン８７ｄがクリックされると、別ウィンドウを開いてウェルカムボードのデザインタイプやメッセージタイプを一覧表示する。
【０１５７】
このようにして各項目が入力され、最終確認ボタン８７ｈがクリックされると、入力内容を確認する最終確認画面（図示省略）を利用者端末８０に表示する（ステップｐ２）。
【０１５８】
このとき、利用者がログイン状態となっているか否かをチェックする。該ログイン状態とは、前述した検索処理やサンプル送付依頼処理の際に利用者ＩＤとパスワードが入力されている場合を指す。従って、ログイン状態となっていない場合には、最終確認画面を表示する前に利用者ＩＤとパスワードを入力させるログインウィンドウ（図示省略）を表示して利用者にログインさせる。
【０１５９】
前記最終確認画面で注文ボタンがクリックされると、ＷＥＢサーバ５０は受付番号の付与を行う（ステップｐ３）。この受付番号は、案内状受付番号（図１２）、及びウェルカムボード受付番号（図１３）で構成する。
【０１６０】
ＷＥＢサーバ５０は、香り発送要求を実行し、予め定めた電子メールアドレスに、香りＩＤと案内状受付番号とウェルカムボード受付番号を記載した電子メールを送信する（ステップｐ４）。
【０１６１】
この電子メールは、処理端末４０を操作する係員が受信し、受信した係員は、在庫の香料を取り出す、香料販売業者に発注する、あるいは調香して必要な香料を準備する。準備した香料は、係員が前記電子メールの案内状受付番号と共に案内状作成会社に発送し、またウェルカムボード受付番号と共にウェルカムボード作成会社に発送する。
【０１６２】
このとき、必要に応じて処理端末４０で受注登録確認プログラム及び受注登録確認プログラムを実行し、案内状やウェルカムボードの受注内容を確認する。
【０１６３】
前記ステップｐ１で案内状に関する情報が入力されていた場合は（ステップｐ５）、案内状作成会社の電子メールアドレスへ案内状発注の電子メールを送信する（ステップｐ６）。このとき、電子メールには案内状受付番号及び香りＩＤも記載する。
【０１６４】
前記ステップｐ１でウェルカムボードに関する情報が入力されていた場合は（ステップｐ７）、ウェルカムボード作成会社の電子メールアドレスへウェルカムボード発注の電子メールを送信する（ステップｐ８）。このとき、電子メールには案内状受付番号及び香りＩＤも記載する。
【０１６５】
以上の動作により、利用者は案内状とウェルカムボードの両方又はいずれか１方を注文することができ、このときに香りを指定することができる。
【０１６６】
指定された香りは、香りコーディネートを実行する会社の係員が、案内状作成会社及びウェルカムボード作成会社に送付する。
【０１６７】
案内状作成会社、及びウェルカムボード作成会社は、香りＩＤを付した発注書たる電子メールを受信するため、後から発送されて受け取る香りを依頼のあった案内状やウェルカムボードに間違いなく付加することができる。
【０１６８】
案内状に付加する場合は、香料を直接吹き付けても良いが、折りたたんだ案内状を広げたときに香りが漂うように工夫して閉じ込めても良い。この工夫としては、例えば案内状の内側の折りたたみ対向面の一部にフィルムを貼り付け、該フィルム上に香料を塗布し、案内状をたたんでおくことができる。これにより、案内状を開ければ各面のフィルムの密着面もはがれ、香りが漂うこととなる。
【０１６９】
また、ウェルカムボードに付加する場合は、瓶詰めした香料を拡散する拡散機（例えば送風機）等と共にウェルカムボードに組み込むと良く、また組み込まずに分離して構成しても良い。これにより、結婚披露宴当日の受付時間前から受付場所で、瓶の蓋をはずし、拡散機で香りを拡散させ、案内状の香りと同じ香りを受付場所に漂わせるという演出を行うといったことができる。
【０１７０】
このようにして、利用者は結婚披露宴というイベントを、招待状とウェルカムボードによって香りで演出することが可能となり、従来あまり行われてこなかった嗅覚による新しい演出を行って招待客を楽しませることができる。
【０１７１】
なお、演出方法としては上記のものに限らず、引出物等のギフトに香りを付加する、キャンドルサービスによる演出場面や、キャンドルサービスの変わりに発光する液体で演出する演出場面等、結婚披露宴での演出場面で香りを使用する等、様々な用途の１つ又は複数で香りを利用しても良い。
【０１７２】
例えば複数利用する例として、結婚披露宴の招待状には二人の出会いの日の香りを付して送付しておき、ウェルカムボードにはプロポーズの日の香りを付して演出し、キャンドルサービスでは結婚式当日の香りで演出することができる。
【０１７３】
さらにこれらの香りによる演出を司会者が披露宴中に説明し、引出物には招待客一人一人にその人の誕生日の香りを付して渡すといったことができる。
【０１７４】
このように利用することで、結婚披露宴やパーティー等の宴を香りで演出することが可能となる。特に複数の場面を様々な香りで演出したいような場合には、日付に基づいて香りを検索できる検索処理が行えるため、香りに関する知識のない利用者でも複数の香りを容易に決定して演出することが可能となる。
【０１７５】
また、香りデータ１３は、他の項目を追加しても良く、また項目の構成を変更しても良い。  
追加項目としては、例えばアロマテラピーに関する情報として、利用に適する場面（効能や効能に近いもの）、特徴、注意事項といった項目を付加するといったことができる。
【０１７６】
具体的には、例えば香りの１つ「ネロリ」について、「利用に適する場面」に「リラックス効果、催眠効果、新陳代謝促進」の文字列を格納し、「特徴」に「オーデコロンや化粧品にもよく使われる香りのひとつ」の文字列を格納し、「注意事項」に「仕事や車の運転など集中力が必要なときは使わない方がよいようです」の文字列を格納するといったことができる。  
これにより、嗅覚で感じる香りと共にアロマテラピーに関する情報を付加し、利用者の満足度を向上させることができる。
【０１７７】
また、前述した実施形態では３６６日全てに対して１つずつ異なる香りを割当てているが、重複する香りを割当てても良い。  
例えば、１つの香りをとってもその香りが有するイメージや特徴には複数の系統が混在していることが多いため、ある系統についての由来やイメージ色等を１の日付に割当て、別の系統についての由来やイメージ色等を他の１の日付に割当てるといったことができる。
【０１７８】
また、由来やイメージ色等の系統分けによる変更も行わず、同じ香りを複数の日付に割当てても良い。  
これにより、実際に使用する香りの種類を減らして在庫圧縮を図ると共に、日付に関連して香りを探す利用者の満足度を維持することができる。すなわち、記念日等は個人にとってそれほど多くなく、知り合い同士の記念日が異なるにも関わらず、記念日の香りが同じであるといった事態が発生する確率はきわめて低いため、利用者の満足度を維持することができる。
【０１７９】
この発明の構成と、上述の実施形態との対応において、
この発明の香り検索システムは、実施形態のルータ３、インターネット４、ＤＢサーバ１０、ＷＥＢサーバ５０、及び利用者端末８０に対応し、
以下同様に、
検索手段は、ＤＢサーバ１０に対応し、
香り情報は、香りデータ１３に対応し、
名称情報は、香りデータ１３の香り名称に対応し、
日付情報は、香りデータ１３の香り日付に対応し、
関連情報は、香りデータ１３の由来に対応し、
分類情報は、香りデータ１３の系統ＩＤに対応し、
イメージ情報は、香りデータ１３のイメージに対応し、
色情報は、香りデータ１３のイメージ色に対応し、
条件指定手段は、利用者端末８０の表示手段に表示する検索メニュー画面８２及び該利用者端末８０の入力装置に対応し、
香り指定手段は、利用者端末８０の表示手段に表示するコンボボックス８７ｇ及び該利用者端末８０の入力装置に対応し、
送付先指定手段は、利用者端末８０の表示手段に表示するログインウィンドウ及び該利用者端末８０の入力装置に対応し、
物品指定手段は、利用者端末８０の表示手段に表示するコンボボックス８７ｂ，８７ｅ及び該利用者端末８０の入力装置に対応し、
香り検索システムの出力手段は、香り検索結果一覧画面８３を表示する利用者端末８０の表示手段に対応し、
香りコーディネートシステムの出力手段は、ステップｐ４を実行するＷＥＢサーバ５０に対応し、
香りサンプル注文システムは、サンプル送付依頼受付システムに対応し、
関連情報は、香りＩＤに対応するも、
この発明は、上述の実施形態の構成のみに限定されるものではなく、多くの実施の形態を得ることができる。
【図面の簡単な説明】
【０１８０】
【図１】香りコーディネートシステムのシステム構成図。
【図２】データベースのデータ構造図。
【図３】香りデータのデータ説明図。
【図４】説明文総合データのデータ説明図。
【図５】系統データのデータ説明図。
【図６】イメージ色データのデータ説明図。
【図７】由来区分データのデータ説明図。
【図８】複雑度データのデータ説明図。
【図９】イメージ区分データのデータ説明図。
【図１０】サンプル依頼データのデータ説明図。
【図１１】利用者データのデータ説明図。
【図１２】案内状注文データのデータ説明図。
【図１３】ウェルカムボード注文データのデータ説明図。
【図１４】香りコーディネートシステムの動作を示すフローチャート。
【図１５】トップページの画面イメージ図。
【図１６】サンプル送付依頼処理のフローチャート。
【図１７】検索メニュー画面の画面イメージ図。
【図１８】香り検索結果一覧画面の画面イメージ図。
【図１９】香り詳細表示画面の画面イメージ図。
【図２０】サンプル希望香り一覧画面の画面イメージ図。
【図２１】サンプル送付先入力画面の画面イメージ図。
【図２２】注文処理のフローチャート。
【図２３】香りコーディネート注文入力画面の画面イメージ図。
【符号の説明】
【０１８１】
１…香りコーディネートシステム
３…ルータ
４…インターネット
１０…ＤＢサーバ
１１…データベース
１３…香りデータ
５０…ＷＥＢサーバ
８０…利用者端末
８２…検索メニュー画面
８３…香り検索結果一覧画面
８７ｂ，８７ｅ，８７ｇ…コンボボックス
【図１】
2005242657.tif 000003
【図２】
2005242657.tif 000004
【図３】
2005242657.tif 000005
【図４】
2005242657.tif 000006
【図５】
2005242657.tif 000007
【図６】
2005242657.tif 000008
【図７】
2005242657.tif 000009
【図８】
2005242657.tif 000010
【図９】
2005242657.tif 000011
【図１０】
2005242657.tif 000012
【図１１】
2005242657.tif 000013
【図１２】
2005242657.tif 000014
【図１３】
2005242657.tif 000015
【図１４】
2005242657.tif 000016
【図１５】
2005242657.tif 000017
【図１６】
2005242657.tif 000018
【図１７】
2005242657.tif 000019
【図１８】
2005242657.tif 000020
【図１９】
2005242657.tif 000021
【図２０】
2005242657.tif 000022
【図２１】
2005242657.tif 000023
【図２２】
2005242657.tif 000024
【図２３】
2005242657.tif 000025